(57)【要約】  【課題】砂防堰堤等の土木構造物の構築に際し、鉛直方向に傾斜した壁面を構築する場合の作業性および作業時安全性の向上を図り、幅が50〜60cm程度と限定されて非常に接合作業が多い鋼矢板に代わる鋼製壁面材を用いることで接合部数の大幅な低減を図る。  【解決手段】砂防堰堤等の上下流壁面を形成する型枠機能を兼ねたパネル状の壁面材１の左右両端部に面板部から外側に張り出し、隣接して配置される壁面材を支持して位置決め可能な張り出し部２を設け、新たに設置する壁面材１を壁面の法勾配を利用して予め千鳥配置された既設の左右の壁面材の張り出し部２にもたれさせて容易にセットできるようにする。壁面材の１パネル分の構築と、中詰材の投入，敷き均し，締め固め，養生といった一連の打設作業を順次繰り返して砂防堰堤等を構築する。【選択図】      図１
2005048461.tif 000002
【特許請求の範囲】
【請求項１】
上下流壁面を型枠機能を兼ねた壁面材を複数配置して構築し、この上下流壁面間に中詰材を充填することにより構築される土木構造物であって、
壁面材の左右両端部に面板部から外側に張り出し、隣接して配置される壁面材を支持して位置決め可能な張り出し部が設けられていることを特徴とする、壁面材を用いた土木構造物。
【請求項２】
請求項１に記載の土木構造物において、隣り合う左右の壁面材同士が張り出し部を介して接合一体化されていることを特徴とする、壁面材を用いた土木構造物。
【請求項３】
請求項１、２のいずれか一つに記載の土木構造物において、上下の壁面材同士が、一方の接合部に設けられた凸部と、他方の接合部に設けられ、前記凸部が差し込まれる挿入部とにより接合されていることを特徴とする、壁面材を用いた土木構造物。
【請求項４】
請求項１〜３のいずれか一つに記載の土木構造物において、上下の壁面材の接合部に、壁面材と中詰材の一体化を図るアンカー体の端部が取付けられていることを特徴とする、壁面材を用いた土木構造物。
【請求項５】
請求項１、２のいずれか一つに記載の土木構造物において、上下の壁面材同士が、上下の接合部にそれぞれ形成された開口孔と、孔合せされた前記開口孔に差し込み可能な突起とアンカー体を取付け可能な取付孔を有する接合体とにより接合されていることを特徴とする、壁面材を用いた土木構造物。
【請求項６】
上下流壁面を型枠機能を兼ねた壁面材を複数配置して構築し、この上下流壁面間に中詰材を充填することにより構築される土木構造物の構築方法であって、
所定の法勾配で設置された既設の左右の壁面材の間に新たな壁面材を挿入配置すると共に、既設の左右の壁面材の端部に設けられた張り出し部に新たな壁面材を支持させて位置決めし、新たな壁面材を既設の左右の壁面材に接合一体化する工程と、
壁面材にアンカー体を取付け、上下流壁面の壁面材間に中詰材を投入し、投入した中詰材を敷き均しし締め固めし、中詰材が強度を発現するまで養生する工程
を有することを特徴とする、壁面材を用いた土木構造物の構築方法。
【請求項７】
請求項６に記載の構築方法において、中詰材には、現地発生材とセメントを混合したソイルセメント材料を用いることを特徴とする、壁面材を用いた土木構造物の構築方法。
【発明の詳細な説明】
【技術分野】
【０００１】
本発明は、砂防堰堤等、上下流壁面の壁面材と内部の中詰材から構成される土木構造物とその構築方法に関するものである。
【背景技術】
【０００２】
砂防堰堤は、鋼矢板を順次接合して壁面材を構築し、その内部に中詰材を充填して構築されるのが一般的である（例えば、特許文献１、２参照）。特許文献１の発明では、所定長さの鋼矢板セグメントを正面視で所謂千鳥状に配列して壁面材を構築し、この壁面材同士をタイ部材で結合して壁面材間に土砂を中詰している。特許文献２の発明では、上に向けた溝形断面材からなる基礎梁にモジュール寸法の鋼矢板の下端を挿入し、この鋼矢板は正面視で千鳥状に配列してサポート材付きの柱で支え、その腹起し材にアンカー材を取付け、内部にコンクリートを一定の高さずつ、かつ養生を行いつつ複数回に分けて打設している。これらの従来技術は、鋼矢板を用いることで容易に壁面を構築することが共通の特徴である。
【特許文献１】特公平４−２７２７号公報
【特許文献２】特開２００２−２１２９３３号公報
【発明の開示】
【発明が解決しようとする課題】
【０００３】
鋼矢板は左右の隣り合う鋼矢板と継手を介して接合する場合、直立させた鋼矢板同士を接合するのは、重力を利用して鋼矢板を垂直に落とし込むのみで容易に接合可能であるが、鋼矢板を鉛直方向に対して傾斜させた場合には、矢板継手部を合わせて接合するための作業が困難である。通常、砂防堰堤は最も経済的な断面が上下流壁面が傾斜した台形断面であることから壁面が直立した構造は殆どなく、壁面が勾配をもって傾斜している場合が多いため、鋼矢板を用いた砂防堰堤では傾斜した壁面を構築するための作業性の向上が求められている。
【０００４】
また、鋼矢板の場合は幅が50〜60cm程度であるため、通常数10ｍの幅がある砂防堰堤を施工する場合は、相当数の鋼矢板の接合作業が必要となり、非常に作業効率が悪い。
【０００５】
よって、本発明の目的は、砂防堰堤等の土木構造物の構築に際し、鉛直方向に傾斜した壁面を構築する場合の作業性および作業時安全性の向上を図れ、幅が50〜60cm程度と限定されて非常に接合作業が多い鋼矢板に代わる鋼製壁面材を用いることで接合部数の大幅な低減を図れる土木構造物およびその構築方法を提案するものである。
【課題を解決するための手段】
【０００６】
本発明の請求項１は、上下流壁面を型枠機能を兼ねた壁面材を複数配置して構築し、この上下流壁面間に中詰材を充填することにより構築される土木構造物（砂防堰堤等）であって、壁面材の左右両端部に面板部から外側に張り出し、隣接して配置される壁面材を支持して位置決め可能な張り出し部が設けられていることを特徴とする、壁面材を用いた土木構造物である。
【０００７】
即ち、本発明は砂防堰堤等の壁面材はその殆どが鉛直方向に対して傾斜している特性を利用するものであり、図１、図２に示すように、新たに設置する壁面材が壁面の法勾配を利用して予め千鳥配置された既設の左右の壁面材にもたれることができるように壁面材の左右両端部の上部に張り出し部を設けることで、容易に壁面材をセットできるようにしたものである。さらに、壁面材には、例えば幅方向に１〜３ｍ程度、高さ方向に１〜２ｍ程度のパネル状の壁面材を用い、従来の鋼矢板に比べて接合部の数を大幅に低減するものである。
【０００８】
本発明の請求項２は、請求項１に記載の土木構造物において、隣り合う左右の壁面材同士が張り出し部を介して接合一体化されていることを特徴とする、壁面材を用いた土木構造物である。
【０００９】
即ち、壁面材の張り出し部を利用して、新たに設置する壁面材を既設の左右の壁面材に接合する。例えば、図３(a) に示すように、張り出し部に接合板を設け、相手方にも接合板を設け、両者を添接させてボルト接合する。あるいは図３(b) に示すように、平板状の張り出し部の先端接合板部を相手方に設けられたボルト等に取付ける。あるいは、図５(c) に示すように、相手方の接合板に取付けた挟持板で張り出し板の先端部分を挟み込むようにする。
【００１０】
本発明の請求項３は、請求項１、２のいずれか一つに記載の土木構造物において、上下の壁面材同士が、一方の接合部に設けられた凸部と、他方の接合部に設けられ、前記凸部が差し込まれる挿入部とにより接合されていることを特徴とする、壁面材を用いた土木構造物である。
【００１１】
即ち、新たに設置する壁面材を張り出し部にもたれさせるだけでは、壁面材が内外方向に回転する可能性があるため、凸部と挿入部とにより位置出しと外れ止めを行う。例えば、図３に示すような棒鋼と開口孔、あるいは図４に示すような板状突起と矩形開口を用いることができる。また、必要に応じて、棒鋼や板状突起をナットや固定用部材で固定し、上下の壁面材を接合一体化する。
【００１２】
本発明の請求項４は、請求項１〜３のいずれか一つに記載の土木構造物において、上下の壁面材の接合部に、壁面材と中詰材の一体化を図るアンカー体の端部が取付けられていることを特徴とする、壁面材を用いた土木構造物である。
【００１３】
即ち、上下の壁面材の接合部を利用してアンカー体を取付ける。例えば、図３、図４に示すように、上下の壁面材の接合用フランジでアンカー体の取付板を挟持させる。または、上下の接合用フランジ同士を取付けた後にその上にアンカー体の取付板を取付ける。アンカー体は、例えば溶接金網に代表される格子状のユニット状のものを用いる。また、必要に応じて、壁面材の上下方向中間部にアンカー体をフック形式等で取付けるようにしてもよい。
【００１４】
本発明の請求項５は、請求項１、２のいずれか一つに記載の土木構造物において、上下の壁面材同士が、上下の接合部にそれぞれ形成された開口孔と、孔合せされた前記開口孔に差し込み可能な突起とアンカー体を取付け可能な取付孔を有する接合体とにより接合されていることを特徴とする、壁面材を用いた土木構造物である。
【００１５】
即ち、凸部と挿入部に代えて、接合板に接合ピン等の突起を突設した接合体を用いて上下の壁面材同士を接合し、また接合体にはフック形式等のアンカー体の先端部を挿入可能な取付孔を形成してアンカー体の取付板も兼ねるようにする。例えば、図５に示すように、上下の壁面材の接合用フランジに開口孔を形成しておき、孔合わせした開口孔に接合体の棒鋼やボルト等の接合ピンを上から挿入して上下の壁面材同士を接合する。次いで、接合体の取付孔にアンカー体のフックを挿入してアンカー体を取付ける。
【００１６】
本発明の請求項６は、上下流壁面を型枠機能を兼ねた壁面材を複数配置して構築し、この上下流壁面間に中詰材を充填することにより構築される土木構造物の構築方法であって、所定の法勾配で設置された既設の左右の壁面材の間に新たな壁面材を挿入配置すると共に、既設の左右の壁面材の端部に設けられた張り出し部に新たな壁面材を支持させて位置決めし、新たな壁面材を既設の左右の壁面材に接合一体化する工程と、壁面材にアンカー体を取付け、上下流壁面の壁面材間に中詰材を投入し、投入した中詰材を敷き均しし締め固めし、中詰材が強度を発現するまで養生する工程と、を有することを特徴とする、壁面材を用いた土木構造物の構築方法である。
【００１７】
即ち、壁面材は張り出し部により簡単に取付けることができるが、その自立性の強度が必要となるため、壁面材を１パネル分だけ構築すると、中詰材の投入，敷き均し，締め固め，養生といった一連の打設作業を行い、これら１パネル分の構築と打設作業を順次繰り返して砂防堰堤等を構築する。
【００１８】
本発明の請求項７は、請求項６に記載の構築方法において、中詰材には、現地発生材とセメントを混合したソイルセメント材料を用いることを特徴とする、壁面材を用いた土木構造物の構築方法である。
【００１９】
即ち、中詰材は、土砂やコンクリートあるいは建設残土などを用いることができるが、砂防堰堤として必要な強度が期待できる程度のコンクリートの使用を目的として、土砂や建設残土にセメントを混合したソイルセメント材料を用いるのが好ましい。
【発明の効果】
【００２０】
(1) 新たに設置する壁面材を既に固定された壁面材から張り出している張り出し部にもたれるように位置決めセットするため、鋼矢板を用いた従来技術よりも施工性および施工時安全性を大幅に向上させることができる。
【００２１】
(2) 壁面材にパネル状の壁面材を用いることにより、従来の鋼矢板に比べて接合部の数を大幅に低減することができ、省力化と工期短縮を図ることができる。
【００２２】
(3) 壁面材の張り出し部を利用して、新たに設置する壁面材を既設の左右の壁面材に接合するため、左右の壁面材を簡易な部材で容易に接合一体化することができる。
【００２３】
(4) 上下の壁面材同士を凸部と挿入部により接合することにより、新たに設置する壁面材を容易に位置決めセットすることができる。
【００２４】
(5) 上下の壁面材の接合部を利用してアンカー体を取付けるため、従来技術のような腹起し材を必要としない。また、アンカー体を格子状のユニット部材とすることによりアンカー部材をまとめて且つ容易に取付けることができ、施工性が大幅に向上する。また、アンカー体は格子状であるため、従来の一方向のみのアンカーと比べて、壁面材と中詰材の一体性、外力が作用した場合のせん断抵抗力が向上する。
【００２５】
(6) 上下の壁面材同士を開口孔と突起付きの接合体により接合することにより、上下の壁面材同士を容易に接合できると共に、アンカー体も接合部分に簡単に取付けることができる。
【００２６】
(7) 壁面材を１パネル分だけ構築すると、中詰材の投入，敷き均し，締め固め，養生といった一連の打設作業を行い、これら１パネル分の構築と打設作業を順次繰り返して砂防堰堤等を構築するため、壁面材を自立させながら、短期間で砂防堰堤等を構築することができる。また、壁面材と中詰材がアンカー体を介して一体化し、中詰材の天端面を基礎地盤として次の壁面材を取付けることができ、中詰材天端面が足場代わりとなり、足場を必要とせず、省力化、工期短縮に大きく寄与する。
【００２７】
(8) 中詰材に土砂や建設残土にセメントを混合したソイルセメント材料を用いることにより、砂防堰堤として必要な強度が期待でき、上下流壁面材のアンカー体同士を連結する必要がない。
【発明を実施するための最良の形態】
【００２８】
以下、本発明を図示する実施形態に基づいて説明する。この実施形態は、パネル状の鋼殻壁面材を正面視で千鳥配置して砂防堰堤の壁面を構成した例である。図１は千鳥配置の壁面材の割付を示す正面図である。図２は壁面材の取付け手順を示す側面図である。
【００２９】
図１において、パネル状の鋼殻壁面材１を用い、最下段（太線で示す）に、高さＨの鋼殻壁面材１と高さ１／２Ｈの鋼殻壁面材１’を堰堤長手方向に交互に配置し、この最下段の上に高さＨの鋼殻壁面材１を配置することにより正面視で千鳥配置の砂防堰堤の壁面を構成する。なお、最上段にも高さ１／２Ｈの鋼殻壁面材を用い、水平な天端を得る。千鳥の高さはＨと１／２Ｈが最も効率が良いが、特にその比を１：0.5 に限定するものでなく、その他の比率でもよい。
【００３０】
このような千鳥配置の砂防堰堤の壁面において、高さＨの鋼殻壁面材１の左右両端部に面板部から外側に張り出し、既設の鋼殻壁面材１、１間に配置される鋼殻壁面材１を支持して位置決め可能な板状の張り出し部２を設けておく。図２に示すように、砂防堰堤の壁面には殆ど全て法勾配があり、傾斜している既設の鋼殻壁面材１’（最下段の場合）の上に新たに配置する鋼殻壁面材１を載せ、この鋼殻壁面材１を内側に倒し、左右の既設の鋼殻壁面材１の張り出し部２にもたれさせて位置決めし、セットする。もたれさせるだけでは、セットされる鋼殻壁面材１が内外方向に回転して外れる可能性があるため、上下の鋼殻壁面材の接合部に外れ止め等のための部材（後述）を設けておく。セットが完了すると、後述するように、新たな鋼殻壁面材１の左右両端部を既設の鋼殻壁面材１の端部に接合し、必要に応じて下部も下の既設の鋼殻壁面材１’に接合する。
【００３１】
図３〜図５は、鋼殻壁面材とそのアンカー材と上下左右の接合方法の具体例を示したものである。図３と図４は、上下の鋼殻壁面材を凸部と挿入部で接合する場合であり、図５は、上下の鋼殻壁面材を開口孔と突起付き接合体で接合する場合である。
【００３２】
図３、図４の実施形態において、鋼殻壁面材１は、面板鋼板１０、上段接合用フランジ１１、下段接合用フランジ１２、中段リブ１３、鉛直リブ１４、張り出し板１５、左右接合用接合板１６、１７等からなる。後述するように、張り出し板１５と左右接合用接合板１６とにより張り出し部２が形成される。
【００３３】
鋼殻壁面材１の大きさは、特に制限はないが、山岳地への運搬や施工を考慮すると、幅方向に１〜３ｍ程度、高さ方向に１〜２ｍ程度が望ましい。従来技術の壁面材は鋼矢板であるが、その幅は50〜60cm程度で高さ方向は１ｍ程度である。本発明では、張り出し部２により傾斜した壁面を構築する作業性が大幅に向上するのに加え、接合部の数が幅方向で従来の約１／２〜１／５になることから、省力化と工期短縮が可能である。
【００３４】
張り出し板１５と接合板１６は、Ｌ形鋼を用いて一体的に構成することができ、面板鋼板１０の上半分における左右両端部の内側に取付けられる。接合板１７は、平鋼を用いることができ、面板鋼板１０の下半分における左右両端部の内側に取付けられる。接合板１６は面板鋼板１０の端面から外側に張り出し長だけ離れた位置に縦に位置し、接合板１７は面板鋼板１０の端面から内側に張り出し長だけ引っ込んだ位置に縦に配置され、一方の鋼殻壁面材１の接合板１６と他方の鋼殻壁面材１の接合板１７が添接して重なり合うようにされている。接合板１６と１７にはボルト孔が穿設されており、重なり合った接合板１６と１７とがボルトで固定される。
【００３５】
なお、張り出し板１５と接合板１６は、Ｌ形鋼に限らず、図３(b) に示すように、平鋼を用いることもできる。この場合、１枚のプレートが張り出し板と接合板を兼ねる。また、接合板１７は不要となり、代わりにボルトを面板鋼板１０の内面に溶接等で取付けておき、このボルトに接合板１６部分を固定する。
【００３６】
張り出し部２の張り出し長は、鋼殻壁面材１の製作精度を考慮して十分に引っ掛かりのあることが必要であり、仮に幅方向の精度が±10mmとすると、最低20mmよりも大きいことが必要であるが、安全性を考慮すると、その２倍の40mm程度が望ましい。
【００３７】
上下段の接合用フランジ１１、１２には、位置出しおよび外れ防止のために、それぞれ凸部と挿入部が設けられている。図３の実施形態では、凸部は棒鋼２０、挿入部は円形等の開口孔２１であり、図４の実施形態では、凸部は板状突起２２、挿入部は矩形開口２３である。
【００３８】
図３の図示例では、上段の接合用フランジ１１に棒鋼２０が長手方向に間隔をおいて多数配設され、下段の接合用フランジ１２に開口孔２１が棒鋼２０の位置に対応させて穿設されており、下の鋼殻壁面材１の棒鋼２０が上の鋼殻壁面材１の開口孔２１に差し込まれる。上下の鋼殻壁面材の固定は、このような差し込みだけでもよいが、より一体性を高めるためには、棒鋼２０に事前にねじを形成しておき、ナットをねじ込んで固定することも可能である。
【００３９】
図４の図示例では、上段の接合用フランジ１１に長手方向に平行な板状突起２２が長手方向に間隔をおいて複数配設され、下段の接合用フランジ１２に矩形開口２３が板状突起２２の位置に対応させて穿設されており、下の鋼殻壁面材１の板状突起２２が上の鋼殻壁面材１の矩形開口２３に差し込まれる。この場合も、固定が必要な場合は、図４(b) に示すように、上下の鋼殻壁面材の取付け後に面板鋼板１０と板状突起２２の間に固定用部材２４を挿入して一体化を図ることも可能である。
【００４０】
上下の鋼殻壁面材１、１の接合部に、壁面材と中詰材の一体化を図るアンカー体３の端部が取付けられる。アンカー体３は、取付板３０と、格子状に組んだアンカー材３１から構成される。取付板３０には、図３の場合、棒鋼２０が挿入される挿入孔３２が穿設され、図４の場合、板状突起２２が挿入される矩形開口３３が穿設されている。上下の鋼殻壁面材の接合に際して取付板３０を下の鋼殻壁面材１の上段の接合用フランジ１１に取付けておけば、上下の接合用フランジ１１、１２により取付板３０が挟持される。また、上下の接合用フランジ１１、１２を接合した後に接合用フランジ１２の上に取付板３０を載せる方法でもよい。その場合は必要に応じて棒鋼２０にねじ込んだナットで取付板３０を固定する。上下の鋼殻壁面材の接合部がアンカー体３の取付部材を兼ねることになるため、従来技術のようなアンカー材取付けのための腹起し材を必要としない。
【００４１】
中段リブ１３は、本来、中詰材施工時の壁面のはらみ抑制の機能を持つが、アンカーは高さ方向に概ね50〜100cm 間隔で設置する必要があるため、必要に応じてアンカー体３の取付リブを兼ねる構造とする。アンカー体３は上下段のものと同じものを用いることができるが、図３(c) 、図４(c) に示すように、格子状アンカー材３１の取付端部にフック３１ａを形成したアンカー体３’を用いることができる。中段リブ１３には、フック３１ａを挿入するための取付孔３４を穿設しておく。
【００４２】
従来技術では、アンカーは単一の棒鋼部材であることから、施工時には１本ずつアンカー部材を取付けなければならないが、本発明では溶接金網に代表される格子状のユニット部材とすることにより、アンカー部材をまとめて且つ容易に鋼殻壁面材１に取付けることが可能であり、施工性が大幅に向上する。また、従来の一方向のみのアンカー部材と異なり、格子状であることから、鋼殻壁面材と中詰材の一体性や、外力が作用した場合のせん断抵抗力が従来技術に比べて向上する効果もある。
【００４３】
図５の実施形態においては、左右の鋼殻壁面材の接合方法が若干異なり、張り出し板１５と左右接合用接合板１７と挟持板１８からなる。張り出し板１５は平鋼を用いることができ、張り出し部２を形成するように取付けられる。挟持板１８は、Ｌ形鋼を用いることができ、図５(c) に示すように、その一方のフランジ片を接合板１７にボルト接合し、他方のフランジ片で張り出し板１５を挟み込むようにする。張り出し板１５の先端部分を面板鋼板１０と挟持板１８で挟む方式であるため、接合が容易であると共に、鋼殻壁面材の製作誤差を容易に吸収することができる。
【００４４】
また、上下の鋼殻壁面材の接合方法は、開口孔と接合体による接合方式とする。接合体は、図５(d) 、 (e)に示すように、所定長さの接合板４０に接合ピン４１を突設して構成し、接合板４０の手前側に取付孔４２を穿設してアンカー体の取付板を兼ねるようにする。上下段の接合用フランジ１１、１２には共に開口孔２１を穿設し、下の鋼殻壁面材の上段の接合用フランジ１１に上の鋼殻壁面材の下段の接合用フランジ１２を重ね合わせ、孔合せした上下の開口孔２１に上から接合板４０の接合ピン４１を差し込んで接合する。接合ピン４１は、棒鋼を溶接し、あるいはボルトを溶接もしくはねじ込んで、形成することができる。
【００４５】
アンカー体は、中段リブ１３に取付けるフック形式のアンカー体３’を用い、接合板４０の取付孔４２にフック３１ａを挿入して取付ける。接合板４０により上下の鋼殻壁面材を容易に接合でき、またこの接合部分にアンカー体３’を簡単に取付けることができると共に、上下段と中段に同じフック形式のアンカー体を用いることができる。
【００４６】
以上のような構成において、次のような手順で砂防堰堤を構築する。
【００４７】
(1) 図１に太線で示すように、基礎地盤上に最下段の高さＨの鋼殻壁面材１と高さ１／２Ｈの鋼殻壁面材１’を堰堤長手方向に交互に配置すると共に、規定の法勾配となるようにセットする。次いで、高さ１／２Ｈの鋼殻壁面材１’の上端部近傍まで中詰材を投入し、その上面を敷き均し、転圧等で締固めし、所定の強度が発現するまで養生する。
【００４８】
(2) 最下段の鋼殻壁面材１と１との間に新たに配置する鋼殻壁面材１を挿入し、下の鋼殻壁面材１’の上に載せ、左右の鋼殻壁面材１の張り出し部２にもたれさせて位置決めし、セットする。図３、図４の場合、上下の鋼殻壁面材１、１の接合部では、凸部と挿入部とにより位置出しと外れ止めをすると共に、上下の接合用フランジ１１、１２間に取付板３０を配置することによりアンカー体３を取付ける。若しくは取付板３０を接合用フランジ１２の上に取付ける。新たにセットした鋼殻壁面材１を左右の鋼殻壁面材１に左右接合用接合板１６、１７により接合一体化し、必要に応じて下の鋼殻壁面材１’と接合一体化した後、最下段の鋼殻壁面材１の上端部近傍まで中詰材を投入し、その上面を敷き均し、転圧等で締固めし、所定の強度が発現するまで養生する。図５の場合には、上下の接合用フランジ１１、１２の孔合わせをした後、接合体４０で接合一体化し、接合板１７と挟持板１８で左右を接合一体化し、接合体４０にアンカー体３’を取付ける。
【００４９】
(3) 上記の鋼殻壁面材１のセットと接合一体化、アンカー体３の取付け、中詰材の投入，敷き均し，締固め，養生を、上方に向かって順次繰り返して行うことにより、砂防堰堤が構築される。
【００５０】
張り出し部を有する鋼殻壁面材は、その施工の容易性から所定の堰堤高さまで構築することが可能であるが、その場合、鋼殻壁面材に相当な自立性の強度が必要となる。しかし、本発明は鋼殻壁面材を概ね１〜２ｍ程度の１パネル高さまで構築した後に、中詰材の投入，敷き均し，締固めといった一連の打設作業を行う。中詰材の打設作業が完了すると、鋼殻壁面材はアンカー体を介して中詰材と一体化していることから自立し、中詰材の天端面を基礎地盤と考え、次の鋼殻壁面材パネルを取付けることができる。また、その際は前工程で打設された中詰材天端面が足場の代わりとなることから、鋼殻壁面材を取付けるための足場を必要とせず、省力化、工期短縮に大きく寄与する。
【００５１】
中詰め材は、土砂やコンクリートあるいは建設残土などが考えられるが、強度の弱い土砂や建設残土を用いて堰堤を構築した場合は、土石流や洪水などの外力が作用した場合、上下流の壁面材と中詰材が一体となって外力に対して抵抗するためには、上下流壁面のアンカー体同士を連結して一体性を高めることが必要となる。よって、本発明は、砂防堰堤として必要な強度が期待できる程度のコンクリートの使用を目的として、土砂や建設残土にセメントを混合した所謂ソイルセメント材料を用い、これにより上下流壁面材のアンカー体同士を連結する必要がない構造としている。また、中詰材はソイルセメントに限定するものでなく、ソイルセメントよりも強度の高いコンクリート材料も使用可能である。
【００５２】
なお、以上は、鋼殻壁面材を千鳥配列して上下流壁面を構築する例を示したが、これに限らず、その他の配列方法でも本発明を適用できる。また、砂防堰堤に限らず、壁面材と中詰材を用いたその他の土木構造物にも本発明を適用できる。
【図面の簡単な説明】
【００５３】
【図１】本発明の砂防堰堤等における壁面材の構成と千鳥配置の壁面材の割付を示す正面図である。
【図２】本発明の壁面材の取付け手順を示す側面図である。
【図３】本発明で用いる鋼殻壁面材とアンカー体（その１）を示したものであり、（ａ）は分解斜視図、（ｂ）は張り出し部の変形例を示す斜視図、（ｃ）は中段のアンカー体の例を示す斜視図である。
【図４】本発明で用いる鋼殻壁面材とアンカー体（その２）を示したものであり、（ａ）は分解斜視図、（ｂ）は張り出し部の変形例を示す斜視図、（ｃ）は中段のアンカー体の例を示す斜視図である。
【図５】本発明で用いる鋼殻壁面材とアンカー体（その３）を示したものであり、（ａ）は分解斜視図、（ｂ）は接合板と挟持板の側面図、（ｃ）は接合板と挟持板による接合状態を示す水平断面図、（ｄ）は上下の接合用フランジの接合板を示す平面図と正面図と側面図、（ｅ）は上下の接合とアンカー体の取付けを状態を示す斜視図である。
【符号の説明】
【００５４】
１……鋼殻壁面材
２……張り出し部
３……アンカー体
１０……面板鋼板
１１……上段接合用フランジ
１２……下段接合用フランジ
１３……中段リブ
１４……鉛直リブ
１５……張り出し板
１６……左右接合用接合板
１７……左右接合用接合板
１８……挟持板
２０……棒鋼
２１……開口孔
２２……板状突起
２３……矩形開口
２４……固定用部材
３０……取付板
３１……アンカー材
３２……挿入孔
３３……矩形開口
３４……取付孔
４０……接合板
４１……接合ピン
４２……取付孔
【図１】
2005048461.tif 000003
【図２】
2005048461.tif 000004
【図３】
2005048461.tif 000005
【図４】
2005048461.tif 000006
【図５】
2005048461.tif 000007